【手続補正書】
【提出日】平成22年1月25日(2010.1.25)
【手続補正１】
【補正対象書類名】特許請求の範囲
【補正対象項目名】全文
【補正方法】変更
【補正の内容】
【特許請求の範囲】
【請求項１】
金庫であって、
データ転送ポートと、
前記データ転送ポートに結合された金庫コントローラと、
を備えており、前記金庫コントローラは、当該金庫コントローラが有効コードを受信したときに、データが選択的に前記データ転送ポートを通過させることができるように構成されている、金庫。
【請求項２】
請求項１記載の金庫であって、更に、前記金庫コントローラに結合された入力デバイスを備えており、前記有効コードを生成するために、前記入力デバイスを用いることができる、金庫。
【請求項３】
請求項２記載の金庫において、前記入力デバイスは、ローカル入力デバイスである、金庫。
【請求項４】
請求項２記載の金庫において、前記入力デバイスは、キーパッド、バイオメトリクス・リーダ、電子キー・リーダ、カード・リーダ、および遠隔制御センサから成る群から選択される、金庫。
【請求項５】
請求項１記載の金庫において、
前記データ転送ポートは、外部側面、内部側面、および前記金庫コントローラに結合されている活性化入力を備えており、前記外部側面は、前記金庫の外側から接近可能であり、前記内部側面は前記金庫の内部から接近可能であり、
前記金庫コントローラは、前記活性化入力を動作可能にすることにより、前記データ転送ポートの外部側面および内部側面間において前記データを前方および後方に選択的に受け渡すことができるように構成されている、金庫。
【請求項６】
請求項１記載の金庫において、
前記データ転送ポートは、外部側面および内部側面を備えており、前記外部側面は、前記金庫の外側から接近可能であり、前記内部側面は前記金庫の内部から接近可能であり、
前記データ転送ポートの内部側面は、前記金庫コントローラに結合されており、
前記金庫コントローラは、内部データ・ポートを備えており、
前記金庫コントローラは、前記データ転送ポートの外部側面と前記金庫コントローラの内部データ・ポートとの間において前記データを前方および後方に選択的に受け渡すことができるように構成されている、金庫。
【請求項７】
請求項１記載の金庫において、更に、前記金庫コントローラに結合された通信ポートを備えており、前記金庫コントローラは、前記通信ポートにおいて受信する通信データの少なくとも一部の中で前記有効コードを認識するように構成されている、金庫。
【請求項８】
請求項７記載の金庫において、前記データ転送ポートおよび前記通信ポートを同一の物理ポートで併用する、金庫。
【請求項９】
請求項７記載の金庫において、前記データ転送ポートは、通信ポートを備えており、前記データ転送ポートは、前記有効コードおよび前記データを受信するように構成されている、金庫。
【請求項１０】
請求項９記載の金庫において、前記有効コードおよび前記データを一緒に符号化データとしてエンコードする、金庫。
【請求項１１】
請求項１０記載の金庫において、
前記データ転送ポートは、外部側面および内部側面を備えており、前記外部側面は前記金庫の外側から接近可能であり、前記内部側面は前記金庫の内部から接近可能であり、
前記データ転送ポートの内部側面は、前記金庫コントローラに結合されており、
前記金庫コントローラは、内部データ・ポートを備えており、
前記金庫コントローラは、前記符号化データからあらゆるデータをも抽出するために前記符号化データをデコードし、前記符号化コードから前記有効コードをデコードしたとき、前記デコードしたデータを選択的に前記内部データ・ポートを通過させるように構成されている、金庫。
【請求項１２】
請求項９記載の金庫において、前記有効コードおよび前記データは、別個のデータ・パケット内にある、金庫。
【請求項１３】
請求項１２記載の金庫において、
前記データ転送ポートは、外部側面および内部側面を備えており、前記外部側面は前記金庫の外側から接近可能であり、前記内部側面は前記金庫の内部から接近可能であり、
前記データ転送ポートの内部側面は、前記金庫コントローラに結合されており、
前記金庫コントローラは、内部データ・ポートを備えており、
前記金庫コントローラは、少なくとも１つの有効コード・パケットの受信に続いて、少なくとも１つのデータ・パケットを、前記外部側面から前記データ転送ポートの内部側面を通じて、前記内部データ・ポートを通して通過させるように構成されている、金庫。
【請求項１４】
請求項１記載の金庫であって、更に、
進入開口を規定する外部構造と、
前記外部構造に移動可能に結合されているドアと、
前記外部構造を前記ドアに選択的に結合する少なくとも１つのロック機構と、
を備えており、
前記金庫コントローラは、前記ロック機構および前記データ転送ポートに結合されており、前記金庫コントローラは、少なくとも部分的に前記データ転送ポートにおいて受信した通信に応答して、前記進入開口への進入を制御するために、ａ）前記ドアを前記外部構造にロックする、またはｂ）前記ドアを前記外部構造からロック解除するために、前記ロック機構を選択的に制御するように構成されている、金庫。
【請求項１５】
請求項１４記載の金庫において、前記データ転送ポートは、前記外部構造および前記ドアの少なくとも一方を貫通するケーブル・コネクタを備えている、金庫。
【請求項１６】
請求項１４記載の金庫において、前記データ転送ポートは、前記外部構造および前記ドアの少なくとも一方を貫通する光コネクタを備えている、金庫。
【請求項１７】
請求項１４記載の金庫において、前記データ転送ポートはアンテナを備えている、金庫。
【請求項１８】
請求項１７記載の金庫において、前記アンテナは前記金庫の外側に位置する、金庫。
【請求項１９】
請求項１７記載の金庫において、前記アンテナは、前記外部構造の内側に位置し、前記データ転送ポートの一部は前記金庫の内側で接近可能である、金庫。
【請求項２０】
請求項１７記載の金庫において、前記アンテナは前記ドアの内側に位置し、前記データ転送ポートの一部は、前記金庫の内側で接近可能である、金庫。
【請求項２１】
請求項１記載の金庫において、前記金庫は防火金庫を含む、金庫。
【請求項２２】
請求項１記載の金庫において、前記金庫は、非防火金庫、粉砕金庫、防水金庫、銃金庫、チェスト、およびファイル・キャビネット金庫から成る群から選択される、金庫。
【請求項２３】
請求項１記載の金庫であって、更に、前記金庫コントローラに結合されたローカル出力を備えている、金庫。
【請求項２４】
請求項１記載の金庫であって、更に、
外壁および内壁を含み、この間に第１空間を規定する外部構造と、
外壁および内壁を含み、この間に第２空間を規定するドアと、
前記第１空間内および第２空間内に配置された防火絶縁材料と、
を備えている、金庫。
【請求項２５】
請求項１記載の金庫であって、更に、
外部構造と、
前記外部構造に移動可能に結合されたドアと、
前記ドアおよび前記外部構造によって規定される内部空間が実質的に密閉され、前記ドアが前記外部構造に対抗して閉鎖されたときに、前記外部構造と前記ドアとの間への水の進入を防止するように、前記外部構造および前記ドアのうち一方に配置されたガスケットと、
を備えている、金庫。
【請求項２６】
金庫内に位置する内部デバイスとのデータ通信を制御するシステムであって、
コンピュータ読み取り可能媒体上に格納された一連の命令を実行するように構成された金庫アプリケーション・ソフトウェアと、
金庫であって、
ｉ．外部計算機に接続するように構成されたデータ転送ポートと、
ｉｉ．前記データ転送ポートに結合された金庫コントローラと、
を備えている、金庫と、
を備えており、前記金庫アプリケーション・ソフトウェアは、前記金庫コントローラが有効コードを受信したときに、前記金庫コントローラが、前記外部計算機と前記内部デバイスとの間における通信を許可するように、前記コンピュータ読み取り可能媒体上に格納されている前記一連の命令を実行するように構成されている、システム。
【請求項２７】
請求項２６記載のシステムにおいて、前記金庫アプリケーション・ソフトウェアは、前記有効コードを生成し、前記データ転送ポートを通じてそれを前記金庫コントローラに送るように構成されている、システム。
【請求項２８】
請求項２７記載のシステムにおいて、前記金庫アプリケーション・ソフトウェアは、前記外部計算機のユーザからのしかるべきデータに応答して、前記有効コードを生成するように構成されている、システム。
【請求項２９】
請求項２６記載のシステムにおいて、
前記金庫は、更に、前記金庫コントローラに結合されている入力デバイスを備えており、
前記金庫コントローラは、前記入力デバイスからの入力信号に応答して、前記有効コードを生成するように構成されている、システム。
【請求項３０】
請求項２６記載のシステムにおいて、
前記金庫アプリケーション・ソフトウェアは、前記有効コードを生成するように構成されており、
前記金庫は、更に、前記金庫コントローラに結合され、ユーザ入力を前記金庫コントローラに受け渡すように構成された入力デバイスを備えており、
前記金庫コントローラは、前記ユーザ入力の少なくとも一部と前記有効コードが一致したときに、データが前記外部計算機から前記データ転送ポートを通過することを可能にするように構成されている、システム。
【請求項３１】
請求項２６記載のシステムにおいて、前記内部デバイスは、前記データ転送ポートに着脱可能に結合されている、システム。
【請求項３２】
金庫においてデータ転送ポートをロック解除する方法であって、
前記金庫の中にある金庫コントローラと外部計算機との間で接続を確立するステップと、
前記外部計算機上で起動する金庫アプリケーション・プログラムへしかるべきデータを受け入れるステップと、
前記しかるべきデータの入力に応答して、前記外部計算機から前記金庫コントローラに有効コードを送信するステップと、
前記有効コードの受信に応答して、前記金庫コントローラによって前記金庫における前記データ転送ポートを動作可能にするステップと、
を備えている、方法。
【請求項３３】
金庫においてデータ転送ポートをロック解除する方法であって、
前記金庫の中にある金庫コントローラと外部計算機との間で接続を確立するステップと、
前記計算機上で起動する金庫アプリケーション・プログラムへしかるべきデータを受け入れるステップと、
前記しかるべきデータの入力に応答して、前記外部計算機から前記金庫コントローラに有効コードを送信するステップと、
前記有効コードを入力デバイスから受信した信号と比較するステップと、
前記有効コードの少なくとも一部と、前記入力デバイスから受信した前記信号が一致した場合、前記金庫コントローラによって前記データ転送ポートを動作可能にするステップと、
を備えている、方法。
【請求項３４】
外部計算機と金庫の内側にある内部デバイスとの間でデータを受け渡す方法であって、
前記金庫の中にある金庫コントローラと前記外部計算機との間に、接続を確立するステップと、
前記内部デバイスに宛てたデータを有効コードと共にエンコードするために、前記外部計算機上で起動する金庫アプリケーション・プログラムへしかるべきデータを受け入れるステップと、
前記外部計算機から前記金庫コントローラに前記エンコード・データを伝達するステップと、
前記エンコード・データをデコードするステップと、
前記データおよび前記デコードした有効コードの受信に基づいて、前記金庫内に格納されている前記内部デバイスに前記データを受け渡すステップと、
を備えている、方法。
【請求項３５】
請求項３４記載の方法において、前記有効コードを前記データと共にパケットにエンコードする、方法。
【請求項３６】
請求項３４記載の方法において、前記有効コードを前記データと順次エンコードする、方法。
【請求項３７】
請求項３４記載の方法において、暗号化を用いて前記データをエンコードする、方法。
【請求項３８】
外部計算機と金庫の内側に位置する内部デバイスとの間でデータを受け渡すためのコンピュータ実行可能命令を収容したコンピュータ読み取り可能媒体であって、前記命令は、
前記金庫の中にある金庫コントローラと前記外部計算機との間で、接続を確立する命令と、
有効コードの受信に基づいて、前記金庫コントローラが前記データを前記金庫の中にある内部デバイスに導出するように、前記外部計算機から前記金庫コントローラに有効コードおよびデータを伝達する命令と、
を備えている、コンピュータ読み取り可能媒体。
【請求項３９】
金庫の中に位置する内部デバイスとのデータ通信を制御するシステムであって、
コンピュータ読み取り可能媒体上に格納されている一連の命令を実行するように構成されている金庫アプリケーション・ソフトウェアと、
データ転送ポートを含む金庫であって、前記データ転送ポートは、外部計算機にワイヤレスで接続するように構成されている、金庫と、
を備えており、前記金庫アプリケーション・ソフトウェアは、前記内部デバイスと前記外部計算機との間で、前記データ転送ポートを通じてデータをワイヤレスに伝達するように、前記コンピュータ読み取り可能媒体上に格納されている前記一連の命令を実行するように構成されている、システム。
【請求項４０】
請求項３９記載のシステムにおいて、前記ワイヤレス通信は、無線周波数、８０２．１１、ＢＬＵＥＴＯＯＴＨ、ＣＤＭＡセルラ、およびＧＳＭセルラの通信のうち少なくとも１つを含む、システム。
【請求項４１】
請求項３９記載のシステムにおいて、前記データ転送ポートはアンテナを含む、システム。
【請求項４２】
請求項４１記載のシステムにおいて、前記アンテナは前記金庫の外側に位置する、システム。
【請求項４３】
請求項４１記載のシステムにおいて、前記アンテナは前記金庫に取り付けられた楯板の内側に位置する、システム。
【請求項４４】
請求項４１記載のシステムにおいて、前記内部デバイスは、前記データ転送ポートにワイヤレスに接続されている、システム。
【請求項４５】
金庫内に位置する内部デバイスとのデータ通信を提供する方法であって、
データ転送ポートを含む金庫を設けるステップと、
前記内部デバイスを前記データ転送ポートに接続させるステップと、
前記データ転送ポートと外部計算機との間においてデータのワイヤレス通信に備えるステップと、
前記データ転送ポートと前記内部デバイスとの間において前記データを伝達させるステップと、
を備えている、方法。
【請求項４６】
内部デバイスとのデータ通信を行うシステムであって、
前記内部デバイスを格納するために構成した内部区画を規定する金庫と、
前記金庫に結合されたデータ転送ポートであって、前記内部デバイスと前記外部計算機との間で前記データ転送ポートを通じてデータをワイヤレスで伝達するように、外部計算機にワイヤレスで接続するように構成された、データ転送ポートと、
を備えている、システム。